(57)【特許請求の範囲】
【請求項１】
両端に耳縁を備える軒樋の上面開口部に網を固定する網固定具が、該網の上に載置される板状体（１）と、該板状体の長手方向端部に設けられた棒状体の係止部（２）を備え、該係止部（２）が操作部（２１）と挿入部（２２）を有し、該操作部（２１）を該板状体（１）に対して、回動して直立させることによって該挿入部（２２）を軒樋耳縁へ係脱自在にしたことを特徴とする網固定具。
【請求項２】
係止部（２）が、棒状体の両端を、該棒状体中心軸からみてその周方向にたがいに９０゜ずれた方向へ曲折している請求項１記載の網固定具。
【発明の詳細な説明】
【０００１】
【発明の属する技術分野】
本発明は、軒樋の上面開口部に網を固定するための網固定具に関する。
【０００２】
【従来の技術】
従来、軒樋において、上面開口部より落ち葉などが侵入してしまうと、雨水を流せなくなるという問題があった。この問題を解決するために、該上面開口部に網を載置する方法が挙げられ、該網を固定するための様々な網固定具が提案されている。
【０００３】
該網固定具にあっては、例えば特開平７−２８６４１７号公報や実公平４−４８２５２号公報、実公平６−３５０２７号公報のような軒樋の耳縁や取付具へ装着されるフック状のものや、実公平６−４２０２３号公報のような軒樋の両耳縁に装着される板状のもの、実公平６−１３９３４号公報のような軒樋内部に配置され網を下方から支えるものなどがある。
【０００４】
【発明が解決しようとする課題】
しかし、これらの網固定具では、家屋に取り付けられている軒樋に網を固定しようとすると、家屋の軒先や水切りが作業の邪魔になるため、施工が困難あるいは不可能であるという課題があった。
【０００５】
したがって、本発明の目的は、家屋に取り付けられた軒樋においても容易に網を固定することができる網固定具を提供することにある。
【０００６】
【課題を解決するための手段】
本発明者は、上記に鑑み鋭意検討を行った結果、両端に耳縁を備える軒樋の上面開口部に網を固定する網固定具として、該網の上に載置される板状体と、該板状体の長手方向端部に設けられた棒状体の係止部を備え、該係止部が操作部と挿入部を有し、該操作部を該板状体に対して、回動して直立させることによって、該挿入部が該耳縁に設けられたスリットから該耳縁内部に挿入され、該耳縁に係脱自在にすることで上記課題を解決できることを見いだし、本発明を完成した。
【０００７】
【発明の実施の形態】
本発明における網固定具の係止部は、軒樋耳縁に設けられたスリットから耳縁内に挿入され該耳縁に係脱自在の挿入部と、該挿入部を操作する操作部を有している。該操作部により該挿入部を操作し該耳縁へ係脱自在にしたため、家屋の軒先や水切りが作業の邪魔にならず家屋に取り付けられた軒樋においても容易に網を固定することができる。
【０００８】
該係止部においては、該挿入部を軒樋のスリットから該耳縁内部に挿入し、該操作部を回動することにより該挿入部を該耳縁に係止させるものや、操作部を耳縁側へ押し込むことで挿入部を軒樋のスリットから該耳縁内部に摺動挿入し、該挿入部を該耳縁に係止させるものなどがあり、各々の操作部を元の状態に戻すことによりその係止を解除することができる。
【０００９】
該係止部としては、具体的には次のようなものがある。
【００１０】
係止部
棒状体の両端数ｃｍを該棒状体中心軸からみてその周方向にたがいに９０゜ずれた方向へ曲折し一方の曲げた先を操作部、他方の曲げた先を挿入部としたもの。
【００１１】
該係止部においては、該棒状体中心軸が前記板状体に回動自在にその長手方向へ沿って取り付けられており、該操作部を該板状体に対して直立させることで該挿入部が上記スリットと平行になる。その後、該操作部が前記耳縁方向に押し込まれることにより該挿入部が該スリットから耳縁内部に挿入され、該操作部が回動されると該挿入部が該耳縁内部で起き上がり該耳縁を係止することができる。
【００１５】
本発明における網固定具の板状体は、長手方向端部の少なくとも一方に上記係止部を配置し、該軒樋の両耳縁に掛けられて上面開口部に載置された網の脱落や位置ずれを防止するものであり、その形状は上記機能を有するものであればよく、平板状に限らず半円柱状、角柱状であってもよい。
【００１６】
本発明における網固定具の素材としては、上記網を安定的に固定できるものであれば適宜選択でき、特に限定するものでないが金属（ステンレス、鉄、鋼、銅、アルミニウム、亜鉛、ニッケルなど）の単体又は合金、熱可塑性樹脂（ポリ塩化ビニル、ポリエチレン、ポリエステル、ポリスチレン、ＡＢＳ（アクリロニトリル・ブタジエン・スチレン共重合体）、ポリカーボネートなど）の単体又は複合体、熱硬化性樹脂（不飽和ポリエステル、ビニルエステル樹脂、エポキシ樹脂、フェノール樹脂など）の単体又は複合体、合成樹脂にガラス繊維、アラミド繊維、金属繊維などの補強繊維を含有させた繊維強化樹脂などがある。なお、金属に合成樹脂やゴムを被覆又は積層するような複合体であってもよい。
【００１７】
本発明記載のスリットは、前記軒樋の耳縁にその長手方向に沿って連続的または断続的に設けられ、上記網固定具の挿入部および該網の幅方向端部を該耳縁内へ挿入する挿入口になる。
【００１８】
該スリットは、該軒樋の両耳縁に設けられていることが望ましいが、軒樋の美観などの理由により一方の耳縁にのみ設けられてもよい。
【００１９】
この際は、上記板状体の一端に該耳縁の外形を略内形とした嵌合部を配置し、該嵌合部を該耳縁に嵌合させることにより、該軒樋に該網を固定することができる。なお該嵌合部は、該板状体を曲折加工したものでもよく、別部材を取り付けたものであってもよい。
【００２０】
本発明の網固定具を使用するための軒樋としては、縦断面略Ｕ字形状でそのＵ字両端に設けられた耳縁の少なくとも一方の内側に、上記スリットを有するものであればその形状、素材、大きさ等を問わず、適宜選択して採用できる。
【００２１】
本発明の網固定具により固定される網としては、軒樋上面開口部と略同一の形状で、落ち葉などが軒樋内部に侵入することを防ぐ機能があればよく、従来公知の網のほかに、その厚み方向に複数の孔を設けた板状体であってもよい。
【００２２】
本発明の網固定具においては、上記網の上に載置される板状体と、該板状体の長手方向端部に設けられた係止部を備え、該係止部が該耳縁に設けられたスリットから該耳縁内部に挿入され、該耳縁に係脱自在にすることにより、家屋に取り付けられている軒樋にも容易に網を固定することができる。
【００２３】
さらに、本発明にかかる網固定具を、同一の軒樋を固定している軒樋取付具同士の中間位置に取り付けることにより、該軒樋取付具で防止していた軒樋の変形をより効果的に抑えることができる。
【００２４】
【実施例】
本発明にかかる実施例１を図１〜図４に開示し詳細に説明する。図１は、本実施例にかかる網固定具により軒樋上面開口部に網を固定した状態を模式的に示した斜視図であり、図２は、図１における網固定具自体を模式的に示した斜視図である。また、図３（ａ）は、図１の網固定具における係止部の係止前の状態を模式的に示した斜視図であり、図３（ｂ）は、図１の網固定具における係止部の係止後の状態を模式的に示した斜視図である。さらに図４は、図1における係止状態を模式的に示した縦断面図である。
【００２５】
本実施例における網固定具は、図１に示すように、軒樋の上面開口部に配置された網の上に載置され、係止部２を軒樋の耳縁に設けられたスリットから耳縁内へ挿入し両耳縁を係止することによって該網を固定している。
【００２６】
該網固定具は、図２に示すように、ステンレス製の板状体１の両端に、ステンレス製の棒状体の両端を、該棒状体中心軸からみてその周方向にたがいに９０゜ずれた方向へ曲折し、曲折した先のそれぞれを操作部２１および挿入部２２とした係止部２を配置したものである。また、該棒状体中心軸は、該板状体１に回動自在にその長手方向に沿って取り付けた。
【００２７】
該係止部２は、図３（ａ）に示すように、操作部２１を該板状体に対して直立状態にすることで挿入部２２が上記スリット６と平行状態になり、図３（ｂ）に示すように、該操作部２１を回動することで該挿入部２２が起き上がる。即ち該網固定具においては、該操作部２１を該板状体に対して直立状態にして該挿入部２２を該スリット６から耳縁５の内部に挿入し、その後、該操作部２１を回動することにより、該挿入部２２が該耳縁５の内部で起き上がるため、図４に示すように、該耳縁５を係止することができる。本実施例においては、家屋に取り付けられた軒樋においても容易に該網を固定することができた。
【００３４】
実施例４における網固定具を、図７〜図９に開示し説明する。ここで、図７は本実施例にかかる網固定具により軒樋上面開口部に網を固定した状態を模式的に示した斜視図である。また、図８は、図７の網固定具自体を模式的に示した斜視図であり、図９は、図７における係止状態を模式的に示した縦断面図である。なお、本実施例においては、特に説明しない限り実施例１と同様なものである。
【００３５】
本実施例は、図７に示すように、片方の耳縁５にのみスリット６が設けられた軒樋４に網７を固定する場合の例である。
【００３６】
本実施例における網固定具は、図８に示すように、板状体１の一端には係止部２が配置され、他端には、略コ字状の嵌合部３が配置されている。
【００３７】
本実施例の網固定具においては、図９に示すように、該嵌合部３をスリット６のない耳縁５の外側から嵌合させ、板状体１の他端に設けられた係止部２を前記係止方法にて係止することにより、軒樋４の上面開口部に載置された網７を固定することができる。
【００３８】
【発明の効果】
本発明の網固定具においては、上記網の上に載置される板状体と、該板状体の長手方向端部に設けられた棒状体の係止部を備え、該係止部が操作部と挿入部を有し、該操作部を該板状体に対して、回動して直立させることによって、該挿入部が該耳縁に設けられたスリットから該耳縁内部に挿入され、該耳縁に係脱自在にすることにより、家屋に取り付けられている軒樋にも容易に網を固定することができる。
【００３９】
さらに、本発明にかかる網固定具を、同一の軒樋を固定している軒樋取付具同士の中間位置に取り付けることにより、該軒樋取付具で防止していた軒樋の変形をより効果的に抑えることができる。
【図面の簡単な説明】
【図１】本発明の実施例１にかかる網固定具により軒樋上面開口部に網を固定した状態を模式的に示した斜視図である。
【図２】図１における網固定具自体を模式的に示した斜視図である。
【図３】（ａ）は、図１の網固定具における係止部の係止前の状態を模式的に示した斜視図であり、（ｂ）は、該係止部の係止後の状態を模式的に示した斜視図である。
【図４】図1における係止状態を模式的に示した縦断面図である。
【図７】本発明の実施例４にかかる網固定具により軒樋上面開口部に網を固定した状態を模式的に示した斜視図である。
【図８】図７の網固定具自体を模式的に示した斜視図である。
【図９】図７における係止状態を模式的に示した縦断面図である。
【符号の説明】
１  板状体
２  係止部
２１  操作部
２２  挿入部
３  嵌合部
４  軒樋
５  耳縁
６  スリット
７  網
【図１】
0003909979.tif 000002
【図２】
0003909979.tif 000003
【図３】
0003909979.tif 000004
【図４】
0003909979.tif 000005
【図７】
0003909979.tif 000006
【図８】
0003909979.tif 000007
【図９】
0003909979.tif 000008